(57)【要約】【課題】無線ＬＡＮの電波エリアに在圏しない着信側移動通信端末機の付加サービスの起動時に、その着信側移動通信端末機の単位料金区域情報を取得して所望の課金サービスを行うことを可能とすること。【解決手段】ＳＩＰサーバ３６のＣＡ設定部３６ａで在圏登録信号に携帯電話機２５が通信したＢＢＲＴ２２のＣＡ情報を設定して在圏管理サーバ３５のＣＡ保持部３５ａに保持する。この後、発信側携帯電話機２４が在圏未登録の携帯電話機２５へ発信した際に、在圏管理サーバ３５にその携帯電話機２５の付加サービス有の情報が設定されている場合、在圏管理サーバ３５がＣＡ設定部３５ｂで上記保持された該当携帯電話機２５のＣＡ情報を在圏登録応答信号に設定してＳＩＰサーバ３６へ返信し、このＳＩＰサーバ３６が在圏登録応答信号に設定されたＣＡ情報を保持する。【選択図】      図１
2008124983.tif 000002
【特許請求の範囲】
【請求項１】
移動通信端末機が無線ＬＡＮ通信を行うルータと、このルータを介して通信を行う移動通信端末機と、該ルータを介してアクセスされる移動通信端末機の通信開始から終了までを制御するＳＩＰサーバと、このＳＩＰサーバから転送されてきた移動通信端末機の在圏登録要求に応じて要求元移動通信端末機の在圏登録処理を行う在圏管理サーバと、この在圏管理サーバに登録された付加サービス有無の情報に応じて該当付加サービスを起動するアプリケーションサーバとを有する無線ＬＡＮ非在圏端末機の単位料金区域取得システムにおいて、
前記ＳＩＰサーバは、前記移動通信端末機から前記ルータを介して受信したのち前記在圏管理サーバへ送信する在圏登録信号に、前記ルータの設置地域の単位料金区域情報を設定する第１の設定手段を備え、
前記在圏管理サーバは、前記ＳＩＰサーバからの在圏登録信号に設定された単位料金区域情報を、在圏登録解除時にも削除することなく保持する保持手段と、その保持された単位料金区域情報を、前記ＳＩＰサーバへ返信する在圏登録応答信号に設定する第２の設定手段とを備え、
発信側移動通信端末機が在圏未登録の移動通信端末機へ発信した際に、前記在圏管理サーバに当該在圏未登録の移動通信端末機の付加サービス有の情報が設定されている場合、前記ＳＩＰサーバが当該在圏未登録の移動通信端末機の在圏登録要求を在圏管理サーバに対して行い、この在圏管理サーバが前記第２の設定手段で前記保持手段に保持された該当移動通信端末機の単位料金区域情報を在圏登録応答信号に設定してＳＩＰサーバへ返信し、このＳＩＰサーバが在圏登録応答信号に設定された単位料金区域情報を保持することを特徴とする無線ＬＡＮ非在圏端末機の単位料金区域取得システム。
【請求項２】
前記保持手段に保持される単位料金区域情報は、前記移動通信端末機が前記ルータの無線圏外となって在圏登録解除された後、同一又は異なるルータの無線圏内に入って在圏登録した際に上書きされることを特徴とする請求項１に記載の無線ＬＡＮ非在圏端末機の単位料金区域取得システム。
【発明の詳細な説明】
【技術分野】
【０００１】
本発明は、携帯電話機等の移動通信端末機が無線ＬＡＮ(Local Area Network)の構成要素である無線通信用のブロードバンドルータを介して通信を行うＶｏＩＰ(Voice over Internet Protocol)サービス提供時に、無線ＬＡＮの電波区域に在圏していない移動通信端末機の単位料金区域を取得可能とする無線ＬＡＮ非在圏端末機の単位料金区域取得システムに関する。
【背景技術】
【０００２】
一般的に、移動通信端末機は、携帯電話機に代表されるように、移動体通信システム、ＰＳＴＮ(Public Switched Telephone Networks)等で通信を行う。この場合の携帯電話機での音声通話時においては、発信側の交換機が加入者の料金明細情報を作成するための情報として着信網から取得した後述で説明する単位料金区域の情報｛ＣＡ(Charging Area)情報とも称す｝を取得するようになっている。
【０００３】
単位料金区域｛ＣＡ(Charging Area)｝とは、通常の市内・市外通話料金の区域とは別に定められる料金区域であり、発信側交換機の単位料金区域と着信側交換機の単位料金区域との関係で通話料金が決定される。通常は市外局番が同じであれば同一の単位料金区域となっており、この場合、同一市外局番同士の電話機であれば市内通話料金で通話ができる。
【０００４】
しかし、単位料金区域は、市外局番が異なった区域に同一の単位料金区域を定めることもでき、この場合、市外局番が異なるにも係わらず市内通話料金で電話をかけることができる。
また、単位料金区域は、その単位料金区域に与えられた電気通信事業者共通の５桁の識別コード（例えば、東京：３２０００、横須賀：４６８００）で識別可能となっている。
【０００５】
無線ＬＡＮに在圏する移動通信端末機が発信時に、着信側アプリケーションサーバが、発信側移動通信端末機に対して留守番電話サービスや迷惑電話の停止サービス等の有料付加サービスをＣＡ情報に基づいて行う無線ＬＡＮシステムがある。
図３に、従来の無線ＬＡＮシステムの構成を示す。この無線ＬＡＮシステム２０は、ユーザ宅内に設置された無線ＬＡＮ通信用のルータであるＢＢＲＴ(Broadband Router)２１と、通常の移動体通信網以外にＢＢＲＴ２１を介して通信を行う携帯電話機２４と、ＢＢＲＴ２１が図示せぬ地域ＩＰ(Internet Protocol)網を介して接続される移動体通信網３１と、この移動体通信網３１に配備された発信側ＳＩＰ(Session Initiation Protocol)サーバ３４と、在圏管理サーバ３５と、着信側ＳＩＰサーバ３６と、着信側アプリケーションサーバ３７とを備えて構成されている。
【０００６】
ＢＢＲＴ２１は、本例のように宅内等にて携帯電話機２４をインターネットに接続するための無線通信機能を有するルータである。
在圏管理サーバ３５は、携帯電話機がＳＩＰサーバを介して在圏登録要求を行った際に、この要求元携帯電話機がどのＳＩＰサーバ配下に在圏するかを保持し、そのＳＩＰサーバに在圏登録完了を要求元携帯電話機の加入者情報を含めて応答する。
【０００７】
ＳＩＰサーバ３４，３６は、携帯電話機の通信時の開始から完了までを制御するサーバであり、在圏管理サーバ３５からの在圏登録応答に含まれる加入者情報並びにＣＡ情報を保持する。
着信側アプリケーションサーバ３７は、留守番電話サービスや迷惑電話を停止するサービス等の付加サービスを行うためのサーバである。なお、付加サービスは通常有料であり、無線ＬＡＮシステムではＳＩＰサーバがＣＡ情報をもとに有料の付加サービスの課金を行うようになっている。
【０００８】
このような構成の無線ＬＡＮシステム２０において、無線ＬＡＮ在圏の携帯電話機のＣＡ情報を取得して付加サービスに対する課金を行う場合の動作を、図４に示すシーケンス図を参照して説明する。
まず、ステップＳ１において、携帯電話機２４がＢＢＲＴ２１を介して図示せぬ通信相手の携帯電話機（着信側携帯電話機）へ発信を行い、この際の接続信号が発信側ＳＩＰサーバ３４へ送信されたとする。
【０００９】
この接続信号を受信した発信側ＳＩＰサーバ３４は、ステップＳ２において、在圏管理サーバ３５に着信側携帯電話機の在圏問合せを行う。
この問合せを受けた在圏管理サーバ３５は、ステップＳ３において、着信側携帯電話機の在圏登録の有無を確認し、この結果、在圏登録が有りで且つ付加サービス有りの場合、ステップＳ４において、着信側ＳＩＰサーバ３６のアドレスを発信側ＳＩＰサーバ３４へ通知する。この通知を受けた発信側ＳＩＰサーバ３４は、ステップＳ５において、その通知アドレスの着信側ＳＩＰサーバ３６へ接続信号を送信する。
【００１０】
この接続信号を受信した着信側ＳＩＰサーバ３６は、ステップＳ６において、その接続信号を着信側アプリケーションサーバ３７へ送信する。着信側アプリケーションサーバ３７は、着信側携帯電話機に回線接続し、この際、例えば着信側携帯電話機が有料の付加サービスである留守番電話サービス設定中であれば、ステップＳ７において、その付加サービスを起動する。
【００１１】
これによって、着信側アプリケーションサーバ３７は、ステップＳ８において、その付加サービス時のアナウンス（着信側携帯電話機が留守番電話サービス設定中である旨の内容）を発信側携帯電話機２４のユーザに知らせるための折返し信号を、着信側ＳＩＰサーバ３６及び発信側ＳＩＰサーバ３４を介して発信側携帯電話機２４へ通知する。
この際、ステップＳ９において、着信側ＳＩＰサーバ３６は、着信側携帯電話機のＣＡ情報を折返し信号に設定する。この設定されたＣＡ情報は、ステップＳ１０において、発信側ＳＩＰサーバ３４で取得され、発信側のＣＡ情報と併用されて、発信側携帯電話機２４に対する課金に用いられる。このように、留守番電話サービス等の付加サービス起動時に発信側携帯電話機２４に対して、発信側及び着信側双方のＣＡ情報を用いて任意の課金を行うことができる。
【００１２】
更に、この種の従来技術として特許文献１に記載の技術がある。これは、位置情報取得システムにてユーザの携帯型端末機から発信される信号を狭いゾーンに対応した低感度で検出することにより当該携帯型端末機の位置情報を取得してプレゼンスサーバに登録する。このプレゼンスサーバに登録された位置情報を含むプレゼンス情報を、ネットワークを介して他のユーザの端末機へ提示し、特定のユーザのプレゼンス情報を参照した他のユーザの端末機からの要求に応じて、他のユーザの端末機と特定のユーザの連絡先情報に示された連絡先との間にネットワークを介して通信セッションを確立するといった内容である。
【００１３】
つまり、ユーザの携帯型端末機から発信される信号を検出し当該携帯型端末機の位置情報を取得してプレゼンスサーバに登録し、この登録端末機機に着信があった場合にサービスを提供するといった技術である。
【特許文献１】特開２００４−３２８３０９号公報
【発明の開示】
【発明が解決しようとする課題】
【００１４】
ところで、上述したように、在圏管理サーバ３５に着信側携帯電話機の在圏登録が有る場合は、発信側携帯電話機２４のユーザに対して付加サービス時のアナウンスを通知するための折返し信号にＣＡ情報を設定することができるが、在圏登録が無い場合は、次に図５を参照して説明するように折返し信号にＣＡ情報を設定することができない。
ステップＳ１１において、携帯電話機２４がＢＢＲＴ２１を介して着信側携帯電話機へ発信を行い、この際の接続信号が発信側ＳＩＰサーバ３４へ送信されたとすると、発信側ＳＩＰサーバ３４は、ステップＳ１２において、在圏管理サーバ３５に着信側携帯電話機の在圏問合せを行う。
【００１５】
この問合せを受けた在圏管理サーバ３５が、ステップＳ１３において、在圏登録の有無を確認し、この結果、在圏登録が無く且つ付加サービス（有料）の場合は、ステップＳ１４において、着信側ＳＩＰサーバ３６のアドレスを発信側ＳＩＰサーバ３４へ通知する。
この通知を受けた発信側ＳＩＰサーバ３４は、ステップＳ１５において、その通知アドレスの着信側ＳＩＰサーバ３６へ接続信号を送信する。この接続信号を受信した着信側ＳＩＰサーバ３６は、在圏登録されていない着信側携帯電話機への着信処理なので、ステップＳ１６において、当該ＳＩＰサーバ３６自らが在圏管理サーバ３５に在圏登録処理を行う。また、着信側ＳＩＰサーバ３６は、ステップＳ１７において、着信側アプリケーションサーバ３７にユーザが付加サービスを利用するための加入者登録処理を行う。この後、着信側ＳＩＰサーバ３６は、在圏管理サーバ３５から該当加入者がどのような付加サービスを行うかを示す加入者情報を取得する。
【００１６】
この後、着信側ＳＩＰサーバ３６は、ステップＳ１９において、上記ステップＳ１５で受信した接続信号を着信側アプリケーションサーバ３７へ送信する。着信側アプリケーションサーバ３７は、着信側携帯電話機に回線接続し、この際、例えば着信側携帯電話機が有料の付加サービスである留守番電話サービス設定中であれば、ステップＳ２０において、その付加サービスを起動する。
【００１７】
これによって、着信側アプリケーションサーバ３７は、ステップＳ２１において、その付加サービス時のアナウンス（着信側携帯電話機が留守番電話サービス設定中である旨の内容）を発信側携帯電話機２４のユーザに知らせるための折返し信号を、着信側ＳＩＰサーバ３６及び発信側ＳＩＰサーバ３４を介して着信側携帯電話機２４へ通知する。
この際、留守電ガイダンス主である着信側携帯電話機の在圏登録が在圏管理サーバ３５に成されておらず、その着信側携帯電話機が無線ＬＡＮ圏外又は電源オフ状態である場合、着信側ＳＩＰサーバ３６はＣＡ情報を取得することができず、このため、折返し信号への着信側のＣＡ情報の設定が不可能となる。
【００１８】
この場合、折返し信号は発信側携帯電話機２４へ通知されてガイダンスを流すことはできるが、発信側ＳＩＰサーバ３４で着信側のＣＡ情報を取得することができない。このため、発信側ＳＩＰサーバ３４は、前述したように留守番電話サービス等の付加サービス起動時に発信側携帯電話機２４に対して、発信側及び着信側双方のＣＡ情報を用いて所望の課金を行うことができないという問題がある。
【００１９】
特許文献１においても、前述したように登録端末機に着信があった場合はサービス提供は可能である。しかし、未登録端末機に着信があった場合は何も開示されていないのでサービス提供は不可能となる。従って、上記のようなＣＡ情報を用いた所望の課金を行うこともできないという問題がある。
本発明は、このような課題に鑑みてなされたものであり、無線ＬＡＮの電波エリアに在圏しない着信側移動通信端末機の付加サービスの起動時に、その着信側移動通信端末機の単位料金区域情報を取得して所望の課金サービスを行うことを可能とする無線ＬＡＮ非在圏端末機の単位料金区域取得システムを提供することを目的としている。
【課題を解決するための手段】
【００２０】
上記目的を達成するために、本発明の請求項１による無線ＬＡＮ非在圏端末機の単位料金区域取得システムは、移動通信端末機が無線ＬＡＮ通信を行うルータと、このルータを介して通信を行う移動通信端末機と、該ルータを介してアクセスされる移動通信端末機の通信開始から終了までを制御するＳＩＰサーバと、このＳＩＰサーバから転送されてきた移動通信端末機の在圏登録要求に応じて要求元移動通信端末機の在圏登録処理を行う在圏管理サーバと、この在圏管理サーバに登録された付加サービス有無の情報に応じて該当付加サービスを起動するアプリケーションサーバとを有する無線ＬＡＮ非在圏端末機の単位料金区域取得システムにおいて、前記ＳＩＰサーバは、前記移動通信端末機から前記ルータを介して受信したのち前記在圏管理サーバへ送信する在圏登録信号に、前記ルータの設置地域の単位料金区域情報を設定する第１の設定手段を備え、前記在圏管理サーバは、前記ＳＩＰサーバからの在圏登録信号に設定された単位料金区域情報を、在圏登録解除時にも削除することなく保持する保持手段と、その保持された単位料金区域情報を、前記ＳＩＰサーバへ返信する在圏登録応答信号に設定する第２の設定手段とを備え、発信側移動通信端末機が在圏未登録の移動通信端末機へ発信した際に、前記在圏管理サーバに当該在圏未登録の移動通信端末機の付加サービス有の情報が設定されている場合、前記ＳＩＰサーバが当該在圏未登録の移動通信端末機の在圏登録要求を在圏管理サーバに対して行い、この在圏管理サーバが前記第２の設定手段で前記保持手段に保持された該当移動通信端末機の単位料金区域情報を在圏登録応答信号に設定してＳＩＰサーバへ返信し、このＳＩＰサーバが在圏登録応答信号に設定された単位料金区域情報を保持することを特徴とする。
【００２１】
この構成によれば、アプリケーションサーバが、着信側の在圏未登録の移動通信端末機の付加サービスである例えば留守番電話サービスを起動し、このサービス時のアナウンスを発信側ユーザに知らせるための折返し信号を、着信側ＳＩＰサーバ及び発信側ＳＩＰサーバを介して着信側移動通信端末機へ通知する際に、着信側ＳＩＰサーバは、在圏管理サーバから取得して保持した在圏未登録の移動通信端末機の単位料金区域情報を、その折返し信号に設定することができる。これによって、その設定された着信側の単位料金区域情報を、発信側ＳＩＰサーバで取得することができる。従って、発信側ＳＩＰサーバにて、アプリケーションサーバによる留守番電話サービス等の付加サービス起動時に、この付加サービス対象の発信側携帯電話機に対して、発信側及び着信側双方の単位料金区域情報を用いて任意の課金を行うことができる。
【００２２】
また、本発明の請求項２による無線ＬＡＮ非在圏端末機の単位料金区域取得システムは、請求項１において、前記保持手段に保持される単位料金区域情報は、前記移動通信端末機が前記ルータの無線圏外となって在圏登録解除された後、同一又は異なるルータの無線圏内に入って在圏登録した際に上書きされることを特徴とする。
この構成によれば、移動通信端末機が無線ＬＡＮ圏外となって在圏登録解除された後、同一又は異なる無線ＬＡＮ圏内に入って在圏登録した際に上書きされるので、移動通信端末機が最終的に無線ＬＡＮに在圏した場所を示す最終在圏の単位料金区域情報が保持されることになる。従って、移動通信端末機が無線ＬＡＮ圏外に存在する場合でも、最寄の単位料金区域情報を取得して、ほぼ適正な課金を行うことができる。
【発明の効果】
【００２３】
以上説明したように本発明によれば、無線ＬＡＮの電波エリアに在圏しない着信側移動通信端末機の付加サービスの起動時に、その着信側移動通信端末機の単位料金区域情報を取得して所望の課金サービスを行うことを可能とするという効果がある。
【発明を実施するための最良の形態】
【００２４】
以下、本発明の実施の形態を、図面を参照して説明する。但し、本明細書中の全図において相互に対応する部分には同一符号を付し、重複部分においては後述での説明を適時省略する。
図１は、本発明の実施の形態に係る無線ＬＡＮ非在圏端末機の単位料金区域取得システムの構成を示すブロック図である。
【００２５】
図１に示す無線ＬＡＮ非在圏端末機の単位料金区域取得システム４０は、ユーザ宅内に設置された無線ＬＡＮ通信用のルータであるＢＢＲＴ２１，２２と、通常の移動体通信網以外にＢＢＲＴ２１，２２を介して通信を行う携帯電話機２４，２５と、ＢＢＲＴ２１，２２が図示せぬＩＰ網を介して接続される移動体通信網３１と、この移動体通信網３１に配備された発信側ＳＩＰサーバ３４と、在圏管理サーバ３５と、着信側ＳＩＰサーバ３６と、着信側アプリケーションサーバ３７とを備えて構成されている。
【００２６】
本実施の形態が従来と異なる点は、ＳＩＰサーバ３４，３６にＣＡ設定部３４ａ，３６ａを設け、在圏管理サーバ３５にＣＡ保持部３５ａ及びＣＡ設定部３５ｂを設けたことにある。
ＣＡ設定部（第１の設定手段）３４ａ（又は３６ａ）は、携帯電話機２４からＢＢＲＴ２１を介して受信した在圏登録信号にＣＡ情報を設定するものである。このＣＡ情報が設定された在圏登録信号は、従来通りＳＩＰサーバ３４（又は３６）から在圏管理サーバ３５へ送信される。
【００２７】
ＣＡ保持部（保持手段）３５ａは、ＳＩＰサーバ３４（又は３６）から送信されてきた在圏登録信号中のＣＡ情報を保持する。このＣＡ情報は、同一の携帯電話機２４（又は２５）からの在圏登録信号で送信されてきた場合、その都度、上書きされる。つまり、携帯電話機２４（又は２５）が最終的に無線ＬＡＮ在圏した場所を示す最終在圏ＣＡ情報となる。更に、携帯電話機２４（又は２５）が電源断又は非在圏状態となり、この際、在圏登録解除信号をＳＩＰサーバ３４（又は３６）を介して在圏管理サーバ３５に送信してきても、ＣＡ保持部３５ａに保持されたＣＡ情報は削除されずにそのまま残るようになっている。
【００２８】
ＣＡ設定部（第２の設定手段）３５ｂは、ＣＡ保持部３５ａに保持された在圏未登録ユーザの最終在圏ＣＡ情報を、ＣＡ設定部３５ｂによってＳＩＰサーバへ返信される在圏登録応答信号に設定するものである。
このような構成の無線ＬＡＮ非在圏端末機の単位料金区域取得システム４０において、無線ＬＡＮ非在圏携帯電話機のＣＡ情報を取得して付加サービスに対する課金を行う場合の動作を、図２に示すシーケンス図を参照して説明する。
【００２９】
まず、ステップＳ３１において、携帯電話機２５が在圏登録時に在圏登録信号がＢＢＲＴ２２を介してＳＩＰサーバ３６へ送信されたとする。ＳＩＰサーバ３６は、ステップＳ３２において、ＣＡ設定部３６ａでその送信されてきた在圏登録信号に、ＢＢＲＴ２２の設置区域のＣＡ情報を設定する。このＣＡ情報が設定された在圏登録信号は、ステップＳ３３において、当該ＳＩＰサーバ３６から在圏管理サーバ３５へ送信される。
【００３０】
在圏管理サーバ３５は、ステップＳ３４において、その送信されてきた在圏登録信号に基づき当該ユーザの在圏登録を行うと共に、ＣＡ保持部３５ａで、同在圏登録信号中のＣＡ情報を保持する。
この後、その在圏登録されたユーザの携帯電話機２５が、例えば電源断状態になったとすると、この際、ステップＳ３５において、当該携帯電話機２５から在圏登録解除信号がＳＩＰサーバ３６へ送信され、更にステップＳ３６において、その在圏登録解除信号が在圏管理サーバ３５へ転送される。これによって、ステップＳ３７において、在圏管理サーバ３５から携帯電話機２５のユーザの在圏登録は解除されるが、同ユーザのＣＡ情報は削除されずにそのまま最終在圏ＣＡ情報として残る。
【００３１】
この後、ステップＳ４１において、携帯電話機２４がＢＢＲＴ２１を介して通話相手の携帯電話機２５へ発信を行い、この際の接続信号が発信側ＳＩＰサーバ３４へ送信されたとする。なお、以降、携帯電話機２４を発信側携帯電話機２４、携帯電話機２５を着信側携帯電話機２５と称す。
接続信号を受信した発信側ＳＩＰサーバ３４は、ステップＳ４２において、在圏管理サーバ３５に着信側携帯電話機の在圏問合せを行う。これを受けた在圏管理サーバ３５は、ステップＳ４３において、在圏登録の有無を確認し、この結果、在圏登録が無く且つ付加サービス（有料）の場合は、ステップＳ４４において、着信側ＳＩＰサーバ３６のアドレスを発信側ＳＩＰサーバ３４へ通知する。
【００３２】
この通知を受けた発信側ＳＩＰサーバ３４は、ステップＳ４５において、その通知アドレスの着信側ＳＩＰサーバ３６へ接続信号を送信する。この接続信号を受信した着信側ＳＩＰサーバ３６は、ステップＳ４６において、在圏未登録の着信側携帯電話機２５ユーザへの着信処理と認識すると、ステップＳ４７において、当該着信側ＳＩＰサーバ３６自らが在圏管理サーバ３５に、在圏未登録ユーザの在圏登録処理を行う。
【００３３】
この際の在圏登録信号を受信した在圏管理サーバ３５は、ステップＳ４８において、ＣＡ保持部３５ａに保持された在圏未登録ユーザの最終在圏のＣＡ情報を、ＣＡ設定部３５ｂによって在圏登録応答信号に設定し、これをステップＳ４９において、着信側ＳＩＰサーバ３６へ送信する。
着信側ＳＩＰサーバ３６は、ステップＳ５０において、その在圏登録応答信号中の最終在圏のＣＡ情報を保持する。この後、着信側ＳＩＰサーバ３６は、ステップＳ５１において、在圏登録応答信号に応じて着信側アプリケーションサーバ３７に在圏登録処理を行い、ステップＳ５２において、上記ステップＳ４５で受信した接続信号を着信側アプリケーションサーバ３７へ送信する。
【００３４】
着信側アプリケーションサーバ３７は、その接続信号に応じて着信側携帯電話機２５に回線接続し、この際、例えばその携帯電話機２５が有料の付加サービスである留守番電話サービス設定中であれば、ステップＳ５３において、その付加サービスを起動する。
これによって、着信側アプリケーションサーバ３７は、ステップＳ５４において、その付加サービス時のアナウンス（着信側携帯電話機が留守番電話サービス設定中である旨の内容）を発信側携帯電話機２４のユーザに知らせるための折返し信号を、着信側ＳＩＰサーバ３６及び発信側ＳＩＰサーバ３４を介して着信側携帯電話機２４へ通知する。
【００３５】
この際、ステップＳ５５において、着信側ＳＩＰサーバ３６は、上記ステップＳ５０で保持した最終在圏のＣＡ情報を、折返し信号に設定する。この設定されたＣＡ情報は、ステップＳ５６において、発信側ＳＩＰサーバ３４で取得され、発信側携帯電話機２４のＣＡ情報と併用されて、発信側携帯電話機２４に対する課金に用いられる。
このように、本実施の形態の無線ＬＡＮ非在圏端末機の単位料金区域取得システム４０によれば、ＳＩＰサーバ（例えば３６）に、携帯電話機２５からＢＢＲＴ２２を介して受信したのち在圏管理サーバ３５へ送信する在圏登録信号に、ＢＢＲＴ２２の設置地域のＣＡ情報を設定するＣＡ設定部３６ａを備えた。また、在圏管理サーバ３５に、ＳＩＰサーバ３６からの在圏登録信号に設定されたＣＡ情報を、在圏登録解除時にも削除することなく保持するＣＡ保持部３５ａと、その保持されたＣＡ情報を、ＳＩＰサーバ３６へ返信する在圏登録応答信号に設定するＣＡ設定部３５ｂとを備えた。
【００３６】
そして、発信側携帯電話機２４が在圏未登録の携帯電話機２５へ発信した際に、在圏管理サーバ３５に当該在圏未登録の携帯電話機の付加サービス有の情報が設定されている場合、ＳＩＰサーバ３６が当該在圏未登録の携帯電話機２５の在圏登録要求を在圏管理サーバ３５に対して行い、この在圏管理サーバ３５がＣＡ設定部３５ｂでＣＡ保持部３５ａに保持された該当携帯電話機２５のＣＡ情報を在圏登録応答信号に設定してＳＩＰサーバ３６へ返信し、このＳＩＰサーバ３６が在圏登録応答信号に設定されたＣＡ情報を保持するようにした。
【００３７】
これによって、着信側アプリケーションサーバ３７が、着信側の在圏未登録の携帯電話機２５の付加サービスである例えば留守番電話サービスを起動し、このサービス時のアナウンスを発信側ユーザに知らせるための折返し信号を、着信側ＳＩＰサーバ３６及び発信側ＳＩＰサーバ３４を介して着信側携帯電話機２４へ通知する際に、着信側ＳＩＰサーバ３６は、在圏管理サーバ３５から取得して保持した在圏未登録の携帯電話機２５のＣＡ情報を、その折返し信号に設定することができ、この着信側のＣＡ情報を、発信側ＳＩＰサーバ３４で取得することができる。
【００３８】
従って、発信側ＳＩＰサーバ３４にて、着信側アプリケーションサーバ３７による留守番電話サービス等の付加サービス起動時に、この付加サービス対象の発信側携帯電話機２４に対して、発信側及び着信側双方のＣＡ情報を用いて任意の課金を行うことができる。
また、ＣＡ保持部３５ａに保持されるＣＡ情報は、着信側の携帯電話機２５が無線ＬＡＮ圏外となって在圏登録解除された後、同一又は異なる無線ＬＡＮ圏内に入って在圏登録した際に上書きされるので、携帯電話機２５が最終的に無線ＬＡＮに在圏した場所を示す最終在圏のＣＡ情報が保持されることになる。従って、携帯電話機２５が無線ＬＡＮ圏外に存在する場合でも、最寄のＣＡ情報を取得して、ほぼ適正な課金を行うことができる。
【図面の簡単な説明】
【００３９】
【図１】本発明の実施の形態に係る無線ＬＡＮ非在圏端末機の単位料金区域取得システムの構成を示すブロック図である。
【図２】上記単位料金区域取得システムにおいて無線ＬＡＮ非在圏携帯電話機のＣＡ情報を取得して付加サービスに対する課金を行う場合の動作を説明するためのシーケンス図である。
【図３】従来の無線ＬＡＮシステムの構成を示すブロック図である。
【図４】従来の無線ＬＡＮシステムにおいて無線ＬＡＮ在圏の携帯電話機のＣＡ情報を取得して付加サービスに対する課金を行う場合の動作を説明するためのシーケンス図である。
【図５】従来の無線ＬＡＮシステムにおいて無線ＬＡＮ非在圏の携帯電話機のＣＡ情報を取得して付加サービスに対する課金を行う場合の動作を説明するためのシーケンス図である。
【符号の説明】
【００４０】
２１，２２  ＢＢＲＴ
２４，２５  携帯電話機
３１  移動体通信網
３４  発信側ＳＩＰサーバ
３４ａ，３６ａ，３５ｂ  ＣＡ設定部
３５  在圏管理サーバ
３５ａ  ＣＡ保持部
３６  着信側ＳＩＰサーバ
３７  着信側アプリケーションサーバ
４０  無線ＬＡＮ非在圏端末機の単位料金区域取得システム
【図１】
2008124983.tif 000003
【図２】
2008124983.tif 000004
【図３】
2008124983.tif 000005
【図４】
2008124983.tif 000006
【図５】
2008124983.tif 000007